(57)【特許請求の範囲】
【請求項１】
来訪者が居住者を呼び出すための集合玄関機と、来訪者からの呼び出しに居住者が応答するための居室親機と、管理人が居住者と通話するための管理室親機と、各機器間の通信を制御する制御装置とを有する集合住宅インターホンシステムであって、
前記居室親機は、人感センサを具備すると共に、
前記人感センサの感知動作を受けて、居室親機ＩＤ及び感知時刻情報から成るセンサ動作情報を前記制御装置へ送信するセンサ情報送信部を有する一方、
前記制御装置は、受信した前記センサ動作情報を蓄積するセンサ動作情報記憶部と、
前記センサ動作情報記憶部に蓄積された情報を基に、個々の住戸における居住者の在室確率の高い時間帯を算出するお知らせ通知時間演算部と、
算出したお知らせ通知時間帯を送信時間帯テーブルとして記憶する送信時間帯テーブル記憶部と、
居住者に対するお知らせ情報を居室親機毎に送信する情報通知制御部とを有し、
前記情報通知制御部は、前記管理室親機或いは別途制御装置に接続されたお知らせ入力手段からお知らせ情報が入力されると、前記送信時間帯テーブルの情報に基づいて前記居室親機毎に前記お知らせ情報を送信することを特徴とする集合住宅インターホンシステム。
【請求項２】
前記居室親機は、前記センサ動作情報を一時的に保存する一時記憶部を有し、
前記センサ情報送信部は、一定時間間隔で前記一時記憶部に保存された前記センサ動作情報を前記制御装置へ一括送信することを特徴とする請求項１記載の集合住宅インターホンシステム。
【請求項３】
来訪者が居住者を呼び出すための集合玄関機と、来訪者からの呼び出しに居住者が応答するための居室親機と、管理人が居住者と通話するための管理室親機と、各機器間の通信を制御する制御装置とを有する集合住宅インターホンシステムであって、
前記制御装置には、お知らせ情報を入力して前記居室親機に送信するための情報端末が接続されて成り、
前記居室親機は、人感センサを具備すると共に、
前記人感センサの感知動作を受けて、居室親機ＩＤ及び感知時刻情報から成るセンサ動作情報を前記情報端末に送信するセンサ情報送信部を有する一方、
前記情報端末は、受信した前記センサ動作情報を蓄積するセンサ動作情報記憶部と、
前記センサ動作情報記憶部に蓄積された情報を基に、個々の住戸における居住者の在室確率の高い時間帯を算出するお知らせ通知時間演算部と、
算出したお知らせ通知時間帯を送信時間帯テーブルとして記憶する送信時間帯テーブル記憶部と、
お知らせ情報を居室親機毎に送信する情報通知制御部とを有し、
前記情報通知制御部は、各居住者に対するお知らせ情報が前記情報端末から入力されると、前記送信時間帯テーブルの情報に基づいて、前記居室親機毎に前記お知らせ情報を送信することを特徴とする集合住宅インターホンシステム。
【請求項４】
前記居室親機は、前記センサ動作情報を一時的に保存する一時記憶部を有し、
前記センサ情報送信部は、一定時間間隔で前記一時記憶部に保存された前記センサ動作情報を前記情報端末へ一括送信することを特徴とする請求項３記載の集合住宅インターホンシステム。
【請求項５】
前記お知らせ通知時間演算部は、前記居室親機から送信される最新の前記センサ動作情報を基に前記送信時間帯テーブルを定期的に更新することを特徴とする請求項１乃至４の何れかに記載の集合住宅インターホンシステム。
【発明の詳細な説明】
【技術分野】
【０００１】
本発明は、集合住宅インターホンシステムに関し、特に管理室親機或いは外部の情報端末からお知らせ情報を個々の居室親機に配信できる集合住宅インターホンシステムに関する。
【背景技術】
【０００２】
管理室親機や外部端末から、回覧等のお知らせ情報を各居室親機へ一斉配信する集合住宅インターホンシステムがある。例えば、特許文献１の集合住宅インターホンシステムでは、各居室親機への一斉配信に加えて、特定の居室親機に対して音声メッセージを送信できた。
【先行技術文献】
【特許文献】
【０００３】
【特許文献１】特開２００７−５３６３３号公報
【発明の概要】
【発明が解決しようとする課題】
【０００４】
上記従来のお知らせを配信できる集合住宅インターホンシステムは、簡易な操作でお知らせを一斉配信でき、送信操作する管理人等の負担は小さかった。しかしながら、生活習慣は各家庭によって様々であり、不在の時間にお知らせ情報が送信される場合が多く、せっかく送信したお知らせ情報も後から確認可能であっても見逃される場合が多く、有効に活用できていなかった。
【０００５】
そこで、本発明はこのような問題点に鑑み、個々の住戸において居住者がお知らせ情報を見る確率が高い時間帯にお知らせ情報を居室親機に送信する集合住宅インターホンシステムを提供することを目的としている。
【課題を解決するための手段】
【０００６】
上記課題を解決する為に、請求項１の発明は、来訪者が居住者を呼び出すための集合玄関機と、来訪者からの呼び出しに居住者が応答するための居室親機と、管理人が居住者と通話するための管理室親機と、各機器間の通信を制御する制御装置とを有する集合住宅インターホンシステムであって、居室親機は、人感センサを具備すると共に、人感センサの感知動作を受けて、居室親機ＩＤ及び感知時刻情報から成るセンサ動作情報を制御装置へ送信するセンサ情報送信部を有する一方、制御装置は、受信したセンサ動作情報を蓄積するセンサ動作情報記憶部と、センサ動作情報記憶部に蓄積された情報を基に、個々の住戸における居住者の在室確率の高い時間帯を算出するお知らせ通知時間演算部と、算出したお知らせ通知時間帯を送信時間帯テーブルとして記憶する送信時間帯テーブル記憶部と、居住者に対するお知らせ情報を居室親機毎に送信する情報通知制御部とを有し、情報通知制御部は、管理室親機或いは別途制御装置に接続されたお知らせ入力手段からお知らせ情報が入力されると、送信時間帯テーブルの情報に基づいて居室親機毎にお知らせ情報を送信することを特徴とする。
この構成によれば、人感センサの感知動作情報を基に居住者の在室確率の高い時間帯を算出し、その時間帯に合わせて居室親機毎にお知らせ情報が送信されるため、居住者が送信されたお知らせ情報を見る確率が高まる。
【０００７】
請求項２の発明は、請求項１に記載の構成において、居室親機は、センサ動作情報を一時的に保存する一時記憶部を有し、センサ情報送信部は、一定時間間隔で一時記憶部に保存されたセンサ動作情報を制御装置へ一括送信することを特徴とする。
この構成によれば、センサ動作情報は一定時間を空けて一括送信されるので、制御装置と個々の居室親機とが頻繁に通信する状態を無くすことができ、トラフィックの混雑による通信エラーの発生を防止できる。
【０００８】
請求項３の発明は、来訪者が居住者を呼び出すための集合玄関機と、来訪者からの呼び出しに居住者が応答するための居室親機と、管理人が居住者と通話するための管理室親機と、各機器間の通信を制御する制御装置とを有する集合住宅インターホンシステムであって、制御装置には、お知らせ情報を入力して居室親機に送信するための情報端末が接続されて成り、居室親機は、人感センサを具備すると共に、人感センサの感知動作を受けて、居室親機ＩＤ及び感知時刻情報から成るセンサ動作情報を情報端末に送信するセンサ情報送信部を有する一方、情報端末は、受信したセンサ動作情報を蓄積するセンサ動作情報記憶部と、センサ動作情報記憶部に蓄積された情報を基に、個々の住戸における居住者の在室確率の高い時間帯を算出するお知らせ通知時間演算部と、算出したお知らせ通知時間帯を送信時間帯テーブルとして記憶する送信時間帯テーブル記憶部と、お知らせ情報を居室親機毎に送信する情報通知制御部とを有し、情報通知制御部は、各居住者に対するお知らせ情報が情報端末から入力されると、送信時間帯テーブルの情報に基づいて、居室親機毎にお知らせ情報を送信することを特徴とする。
この構成によれば、人感センサの感知動作情報を基に居住者が在室する確率の高い時間帯を算出して、その時間帯に合わせて居室親機毎にお知らせ情報が送信されるため、居住者は送信されたお知らせ情報を見る確率が高まる。また、お知らせ情報を送信する装置を制御装置とは独立して設けるため、制御装置の負担を軽減できる。
【０００９】
請求項４の発明は、請求項３に記載の構成において、居室親機は、センサ動作情報を一時的に保存する一時記憶部を有し、センサ情報送信部は、一定時間間隔で一時記憶部に保存されたセンサ動作情報を情報端末へ一括送信することを特徴とする。
この構成によれば、センサ動作情報は一定時間を空けて一括送信されるので、情報端末と個々の居室親機とが頻繁に通信する状態を無くすことができ、トラフィックの混雑による通信エラーの発生を防止できる。
【００１０】
請求項５の発明は、請求項１乃至４に何れかに記載の構成において、お知らせ通知時間演算部は、居室親機から送信される最新のセンサ動作情報を基に送信時間帯テーブルを定期的に更新することを特徴とする。
この構成によれば、送信時間帯テーブルは、定期的に書き換えられるため、常に最新の情報により時間帯を設定でき、居住者の生活リズムが変わっても対応できる。
【発明の効果】
【００１１】
本発明によれば、人感センサの感知動作情報を基に居住者の在室確率の高い時間帯を算出し、その時間帯に合わせて居室親機毎にお知らせ情報が送信されるため、居住者が送信されたお知らせ情報を見る確率が高まる。
【図面の簡単な説明】
【００１２】
【図１】本発明に係る集合住宅インターホンシステムの一例を示す構成図である。
【図２】居室親機の部分回路ブロック図である。
【図３】制御装置の部分回路ブロック図である。
【図４】情報端末の部分回路ブロック図である。
【発明を実施するための形態】
【００１３】
以下、本発明を具体化した実施の形態を、図面を参照して詳細に説明する。図１は本発明に係る集合住宅インターホンシステムの構成図であり、１は集合住宅のエントランス等に設置されて来訪者が居住者を呼び出して通話するために操作する集合玄関機、２は各住戸に設置されて集合玄関機１からの呼び出しに居住者が応答して通話するための居室親機、３は管理人室に設置されて居住者や来訪者と管理人が通話するために操作する管理室親機、４は集合玄関機１と居室親機２の間等の各機器間の通信を制御する制御装置である。
【００１４】
また、５はお知らせ情報を作成するための画像入力装置であり、例えば管理人室に設置されており、入力されたお知らせ情報は制御装置４に送信される。更に６は外部からお知らせ情報を送信する情報端末である。尚、お知らせ情報とは、各住戸への回覧情報やイベント情報、催し物情報等である。
【００１５】
集合玄関機１、管理室親機３は伝送線Ｌ１，Ｌ２により制御装置４に接続され、居室親機２は親機幹線Ｌ３を介して制御装置４に接続されている。また、画像入力装置５はＬＡＮ等の通信線Ｌ４により制御装置４に接続され、情報端末６はインターネット等の公衆通信網Ｎを介して制御装置４に接続されている。この情報端末６は例えばパーソナルコンピュータが使用される。
【００１６】
図２は居室親機２の部分回路ブロック図を示している。図２に示すように居室親機２は、集合玄関機１に備えられたカメラ１１の撮像映像やお知らせ情報を表示するモニタ２１、映像処理部２２、人感センサ２３、映像やお知らせ情報の保存に加えて人感センサ２３の感知動作情報を一時保存する記憶部２４、通話するためのマイク２５ａ及びスピーカ２５ｂ、マイク２５ａ及びスピーカ２５ｂを制御する通話回路部２６、居室親機２を制御する親機ＣＰＵ２７、制御装置４と通信する親機通信ＩＦ２８等を備えている。
【００１７】
図３は制御装置４の部分回路ブロック図を示している。図３に示すように、制御装置４は、居室親機２から送信された人感センサ２３の動作情報を記憶するセンサ動作情報記憶部４１、お知らせ情報を送信（配信）する住戸毎の時間帯を記憶する送信時間帯テーブル記憶部４２、送信時間帯を演算すると共に機器間の通信／通話を制御する制御装置ＣＰＵ４３、集合玄関機１、居室親機２、管理室親機３と通信する第１通信ＩＦ４４、画像入力装置５と通信する第２通信ＩＦ４５、情報端末６と通信する第３通信ＩＦ４６等を備えている。
【００１８】
上記の如く構成された集合住宅インターホンシステムの動作は以下のようである。但し、集合玄関機１で住戸を選択して居住者を呼び出し、居室親機２で応答操作されると通話が可能となる動作、また呼出操作されるとカメラ１１の撮像映像が居室親機２へ送信される動作等については従来と同様であるため説明を省略し、ここでは、お知らせ情報を居室親機２へ送信する動作について説明する。
【００１９】
人感センサ２３が居住者を検出する（感知動作する）と、親機ＣＰＵ２７の制御により居室親機ＩＤ情報及び感知時刻情報を具備したセンサ動作情報が制御装置４へ送信される。但し、このセンサ動作情報の送信は、居室親機２毎に送信時刻が設定されており、例えば、予め設定されたそれぞれ異なる時刻に１日分のデータが１日に１回送信される。そして、送信したデータは記憶部２４から消去される。
【００２０】
制御装置４では、制御装置ＣＰＵ４３の制御により受信したセンサ動作情報が居室親機２単位でセンサ動作情報記憶部４１に蓄積される。
そして、センサ動作情報が一定期間蓄積されたら、蓄積された情報を基に制御装置ＣＰＵ４３により居住者の在室時間帯が解析され、求めた在室確率の高い時間帯からなる送信時間帯テーブルが送信時間帯テーブル記憶部４２に記憶される。この解析方法としては、例えば単位時間帯ごとの感知回数を蓄積してヒストグラムを作成し、最も多い時間帯が例えば１時間単位で判定され、判定された時間帯が送信時間帯に設定される。尚、この送信時間帯は、一日の時間帯の中で数カ所設けても良い。また、解析された送信時間帯は、新たに送信されたデータを基に定期的に更新され、送信時間帯テーブルが書き換えられる。
【００２１】
こうして作成された送信時間帯テーブルを基に、お知らせ情報が入力されたら、個別に送信される。お知らせ情報は、管理室親機３、画像入力装置５、情報端末６の何れかから或いは全てが使用されて入力される。そして、お知らせ情報を受信した居室親機２では、、親機ＣＰＵ２７の制御により記憶部２４にお知らせ情報が保存され、モニタ２１に新着情報がある旨の表示が成されるか、受信したお知らせ情報が表示される。また、新着のお知らせ情報がある旨のメッセージが報音される。
【００２２】
このように、人感センサの感知動作情報を基に居住者の在室確率の高い時間帯を算出し、その時間帯に合わせて居室親機毎にお知らせ情報が送信されるため、居住者が送信されたお知らせ情報を見る確率が高まる。
また、センサ動作情報は一定時間を空けて制御装置４へ一括送信されるので、制御装置４と個々の居室親機２とが頻繁に通信する状態を無くすことができ、トラフィックの混雑による通信エラーの発生を防止できる。
更に、送信時間帯テーブルは、定期的に書き換えられるため、常に最新の情報により時間帯を設定でき、居住者の生活リズムが変わっても対応できる。
【００２３】
次に、集合住宅インターホンシステムの他の形態を説明する。上記実施形態の情報端末６は単にお知らせ情報を作成する手段の一つであり、制御装置４にお知らせ通知時間帯を演算させて送信時間帯テーブルを記憶させたが、この演算機能を情報端末６に持たせても良い。
尚、この場合、お知らせ情報は情報端末６で作成される。そして、制御装置４は本来の動作である機器間通信の制御を実施するのみで良く、居室親機２から送信されたセンサ動作情報は通信端末６に転送される。
【００２４】
以下、お知らせ通知時間帯を演算する機能を情報端末６に設けた場合の動作を具体的に説明する。図４はこの場合の情報端末６の部分回路ブロック図を示している。図４に示すように、情報端末６は、お知らせ情報や演算結果を表示するディスプレイ６１、情報を入力する操作部６２、センサ動作情報記憶部６３、送信時間帯テーブル記憶部６４、情報端末６を制御する情報端末ＣＰＵ６５、公衆通信網Ｎを介して制御装置４と通信する情報端末通信ＩＦ６６等を備えている。
【００２５】
この構成によるお知らせ情報の居室親機２へ送信は以下の様である。人感センサ２３が居住者を検出する（感知動作する）と、親機ＣＰＵ２７の制御により居室親機ＩＤ情報及び感知時刻情報を具備したセンサ動作情報が制御装置４へ送信される。尚、上記実施形態と同様に、センサ動作情報の送信は居室親機２毎に送信時刻が設定されており、例えば１日に１回送信される。そして、制御装置４は受信したセンサ動作情報を公衆通信網Ｎを介して情報端末６に転送する。
【００２６】
センサ動作情報を受信した情報端末６は、情報端末ＣＰＵ６５の制御により居室親機２単位でセンサ動作情報記憶部６３に蓄積され、一定期間センサ動作情報が蓄積されたら、蓄積された情報を基に居住者の在室時間帯が解析され、解析して求めた在室時間帯情報からなる送信時間帯テーブルが送信時間帯テーブル記憶部６４に記憶される。尚、上記実施形態と同様に、解析された送信時間帯は、新たに送信されたデータを基に定期的に更新される。
【００２７】
こうして作成された送信時間帯テーブルを基に、情報端末６においてお知らせ情報が作成されたら、個別に送信される。そして、お知らせ情報が送信された居室親機２では、モニタ２１に新着情報がある旨の表示が成されるか、受信したお知らせ情報が表示される。また、新着のお知らせ情報がある旨のメッセージが報音される。
【００２８】
このように、外部の情報端末６にお知らせの送信時間帯を演算させても良く、人感センサ２３の感知動作情報を基に情報端末６が居住者が在室する確率の高い時間帯を算出して、その時間帯に合わせて居室親機２毎にお知らせ情報が送信されるため、居住者は送信されたお知らせ情報を見る確率が高まる。また、お知らせ情報を送信する装置を制御装置４とは独立して設けるため、制御装置４の負担を軽減できる。
また、センサ動作情報は一定時間を空けて一括送信されるので、情報端末６と個々の居室親機２とが頻繁に通信する状態を無くすことができ、トラフィックの混雑による通信エラーの発生を防止できる。
更に、送信時間帯テーブルは、定期的に書き換えられるため、常に最新の情報により時間帯を設定でき、居住者の生活リズムが変わっても対応できる。
【００２９】
尚、上記実施形態では、人感センサ２３を居室親機２に一体に設けているが、居室親機２の近傍に設置すれば別体であっても良い。また、居室親機２はセンサ動作情報を特定の時刻に一括送信しているが、感知する毎に送信しても良い。
【符号の説明】
【００３０】
１・・集合玄関機、２・・居室親機、３・・管理室親機、４・・制御装置、５・・画像入力装置（お知らせ入力手段）、６・・情報端末（お知らせ入力手段）、２３・・人感センサ、２４・・記憶部（一時記憶部）、２７・・親機ＣＰＵ（センサ情報送信部）、４１・・センサ動作情報記憶部、４２・・送信時間帯テーブル記憶部、４３・・制御装置ＣＰＵ（お知らせ通知時間演算部、情報通知制御部）、６３・・センサ動作情報記憶部、６４・・送信時間帯テーブル記憶部、６５・・情報端末ＣＰＵ（お知らせ通知時間演算部、情報通知制御部）。
【図１】
0006581920.tif 000002
【図２】
0006581920.tif 000003
【図３】
0006581920.tif 000004
【図４】
0006581920.tif 000005